(57)【要約】【課題】バッテリの設置スペースを小さくでき、バッテリをフレーム上に確実に固定することができる建設機械のバッテリ固定構造の提供。【解決手段】旋回体３の旋回フレーム３ａ上に設置される２個のバッテリ８ａ，８ｂと、これらのバッテリ８ａ，８ｂを旋回フレーム３ａに固定する固定手段９と、２個のバッテリ８ａ，８ｂの上方に配置され、２個のバッテリ８ａ，８ｂを保護するゴム板２２とを備えた油圧ショベル１のバッテリ固定構造において、固定手段９は、２個のバッテリ８ａ，８ｂを当接させた状態で両側から挟持する一対の挟持部材１０ａ，１０ｂと、これらの挟持部材１０ａ，１０ｂを連結する丸棒２１とを備えた。【選択図】図３
2011226125.tif 000002
【特許請求の範囲】
【請求項１】
フレーム上に設置される２個のバッテリと、これらのバッテリを前記フレームに固定する固定手段と、前記２個のバッテリの上方に配置され、前記２個のバッテリを保護する保護カバーとを備えた建設機械のバッテリ固定構造において、
前記固定手段は、前記２個のバッテリを当接させた状態で両側から挟持する一対の挟持部材と、これらの挟持部材を連結する連結部材とを備えたことを特徴とする建設機械のバッテリ固定構造。
【請求項２】
請求項１に記載の建設機械のバッテリ固定構造において、
前記挟持部材は、前記バッテリの側面に当接して前記バッテリを内側で保持するブラケットと、このブラケットの外側に配置され、一端側が前記フレームに係止されるボルトと、前記ブラケットの外側の面に固着され、前記ボルトの他端側を前記ブラケットに保持する取付部材と、前記ボルトを挿通し、前記取付部材の上部に設けられて前記保護カバーの高さ位置を決める位置決め部材と、前記保護カバーの上方から前記ボルトに螺合させるナットとを有することを特徴とする建設機械のバッテリ固定構造。
【請求項３】
請求項２に記載の建設機械のバッテリ固定構造において、
前記位置決め部材は、前記取付部材の上部に設けられた第１のワッシャーと、この第１のワッシャーの上部に設けられ、前記保護カバーを下方から支持する円筒部材と、この円筒部材と前記ナットとの間に設けられた第２のワッシャーとを含むことを特徴とする建設機械のバッテリ固定構造。
【請求項４】
請求項１に記載の建設機械のバッテリ固定構造において、
前記連結部材は丸棒から成り、この丸棒は、前記バッテリの上方へ折り曲げられ、前記保護カバーを下方から支持する屈曲部を有することを特徴とする建設機械のバッテリ固定構造。
【発明の詳細な説明】
【技術分野】
【０００１】
本発明は、油圧ショベル等の建設機械に備えられ、車体を形成するフレーム上に設置される２個のバッテリを固定する建設機械のバッテリ固定構造に関する。
【背景技術】
【０００２】
従来より、油圧ショベル等の建設機械は、旋回体を形成する旋回フレーム上に隣接して左右に並設された２個のバッテリを備えており、これらの２個のバッテリは、建設機械の作業に伴って生じる振動等に対して動かないように旋回フレーム上に各種の手段で固定されている。また、バッテリの上方には、油圧機器等から油が飛散しないようにバッテリを保護する保護カバーが設けられている。
【０００３】
この種の建設機械の従来技術として、バッテリを支持するバッテリ支持台と、このバッテリ支持台上に設置された２個のバッテリと、これら２個のバッテリをバッテリ支持台に固定する一対のバッテリ押え部材と、このバッテリ押え部材を支持し、バッテリ支持台に螺着するボルト部材とを備え、バッテリ押え部材は、それぞれ、バッテリの上面の一部を押える押え片と、この押え片に一体に連設される押え本体とから成り、２個のバッテリをバッテリ支持台にボルト部材で固定する建設機械が知られている（例えば、特許文献１参照）。
【０００４】
この特許文献１に開示された建設機械では、バッテリ押え部材の押え本体は、押え片に連結される上壁部と、この上壁部の外端辺から垂下される垂下部とから成っており、押え本体の上壁部にはボルト部材を挿通させる貫通孔が設けられている。また、ボルト部材は、ねじ軸部と、このねじ軸部の上端部に配置されるストッパ、例えばナットとから成っている。
【０００５】
そして、一方のバッテリ押え部材の押え本体の垂下部がバッテリの前面の上端部に当接するように、そのバッテリ押え部材がバッテリの上面の前端部に載置され、他方のバッテリ押え部材の押え本体の垂下部がバッテリの後面の上端部に当接するように、そのバッテリ押え部材がバッテリの上面の後端部に載置されている。この状態において、ボルト部材が、バッテリ押え部材の押え本体の上壁部に設けられた貫通孔に挿通され、各バッテリの間を通ってバッテリ支持台に螺着される。これにより、ボルト部材のナットがバッテリ押え部材の上壁部を下方へ押圧し、バッテリ押え部材がバッテリを押えて旋回フレーム上に固定している。
【先行技術文献】
【特許文献】
【０００６】
【特許文献１】特開２００４−１５２５２４号公報
【発明の概要】
【発明が解決しようとする課題】
【０００７】
特許文献１に開示された従来技術の建設機械は、上述したように、ボルト部材を押え本体の上壁部に設けられた貫通孔に挿通してバッテリ支持台に螺着させる構造としているので、ボルト部材のねじ軸部がバッテリ支持台に設置された２個のバッテリの間を通るように２個のバッテリ間の間隔を空ける必要がある。そのため、バッテリを設置する設置スペースが当該間隔だけ大きくなる問題がある。特に、小型の建設機械では、レイアウト上の制限を受け易いので、バッテリの設置スペースをできる限り小さくすることが要望されている。
【０００８】
また、上述の従来技術の建設機械は、ボルト部材のナットがバッテリ押え部材の上壁部を下方へ押圧することにより、バッテリ押え部材がバッテリを旋回フレーム上に押え付けて固定しているだけなので、バッテリは旋回フレームに対して水平方向の振動に影響を受け易くなっており、バッテリが振動によって設置された位置から動くことが懸念されている。万一、バッテリが振動によって設置された位置から動いた場合には、バッテリがバッテリ押え部材及びバッテリ支持台から外れて他の機器等と接触することにより、バッテリが損傷する虞がある。
【０００９】
本発明は、このような従来技術の実情からなされたもので、その目的は、バッテリの設置スペースを小さくでき、バッテリをフレーム上に確実に固定することができる建設機械のバッテリ固定構造を提供することにある。
【課題を解決するための手段】
【００１０】
上記の目的を達成するために、本発明の建設機械のバッテリ固定構造は、フレーム上に設置される２個のバッテリと、これらのバッテリを前記フレームに固定する固定手段と、前記２個のバッテリの上方に配置され、前記２個のバッテリを保護する保護カバーとを備えた建設機械のバッテリ固定構造において、前記固定手段は、前記２個のバッテリを当接させた状態で両側から挟持する一対の挟持部材と、これらの挟持部材を連結する連結部材とを備えたことを特徴としている。
【００１１】
このように構成した本発明は、一対の挟持部材が２個のバッテリを当接させた状態で両側から挟持してバッテリをフレーム上に固定することにより、２個のバッテリ間の間隔を空けることなく、２個のバッテリを一体的に保持することができる。これにより、バッテリを設置する設置スペースを小さくすることができる。また、一対の挟持部材は連結部材によって連結されているので、バッテリがフレームに対して水平方向の振動を受けても、一対の挟持部材の間隔が広がることなくバッテリを両側から堅固に保持することができる。これにより、バッテリをフレーム上に確実に固定することができる。
【００１２】
また、本発明に係る建設機械のバッテリ固定構造は、前記発明において、前記挟持部材は、前記バッテリの側面に当接して前記バッテリを内側で保持するブラケットと、このブラケットの外側に配置され、一端側が前記フレームに係止されるボルトと、前記ブラケットの外側の面に固着され、前記ボルトの他端側を前記ブラケットに保持する取付部材と、前記ボルトを挿通し、前記取付部材の上部に設けられて前記保護カバーの高さ位置を決める位置決め部材と、前記保護カバーの上方から前記ボルトに螺合させるナットとを有することを特徴としている。
【００１３】
このように構成した本発明は、ナットをボルトから取り外すことによって容易に挟持部材をバッテリから取り外すことができるので、バッテリの交換作業における能率を向上させることができる。また、位置決め部材によって保護カバーの高さ位置を調整することにより、保護カバーとバッテリとの間にバッテリの配線等を収納する収納空間を容易に形成することができる。
【００１４】
また、本発明に係る建設機械のバッテリ固定構造は、前記発明において、前記位置決め部材は、前記取付部材の上部に設けられた第１のワッシャーと、この第１のワッシャーの上部に設けられ、前記保護カバーを下方から支持する円筒部材と、この円筒部材と前記ナットとの間に設けられた第２のワッシャーとを含むことを特徴としている。このように構成すると、円筒部材及び第１のワッシャーによって保護カバーを支持する土台を形成すると共に、第２のワッシャーによってナットの十分な締付力を発揮できるので、安定的な構造を実現することができる。
【００１５】
また、本発明に係る建設機械のバッテリ固定構造は、前記発明において、前記連結部材は丸棒から成り、この丸棒は、前記バッテリの上方へ折り曲げられ、前記保護カバーを下方から支持する屈曲部を有することを特徴としている。このように構成すると、連結部材の屈曲部によって保護カバーを下方から支持することにより、保護カバーが撓むことを防止することができる。これにより、仮に保護カバーが金属板で構成されていれば、保護カバーがバッテリの上部の端子と接触してショートすることを防止することができる。
【発明の効果】
【００１６】
本発明の建設機械のバッテリ固定構造は、フレーム上に設置される２個のバッテリと、これらのバッテリをフレームに固定する固定手段と、２個のバッテリの上方に配置され、２個のバッテリを保護する保護カバーとを備えている。そして、固定手段は、２個のバッテリを当接させた状態で両側から挟持する一対の挟持部材と、これらの挟持部材を連結する連結部材とを含むことにより、一対の挟持部材が２個のバッテリを当接させた状態で両側から挟持してバッテリをフレーム上に固定するので、２個のバッテリ間の間隔を空けることなく、２個のバッテリを一体的に保持することができる。さらに、バッテリがフレームに対して水平方向の振動を受けても、一対の挟持部材と連結部材によってバッテリを両側から堅固に保持することができる。これにより、バッテリを設置する設置スペースを小さくすることができ、バッテリをフレーム上に確実に固定することができるので、従来よりも省スペースで安定的な構造を実現することができる。
【図面の簡単な説明】
【００１７】
【図１】本発明に係るバッテリ固定構造の一実施形態が備えられる建設機械の一例として挙げた油圧ショベルを示す側面図である。
【図２】本実施形態に備えられるバッテリの配置状態を示す図である。
【図３】本実施形態の構成を示す斜視図であり、ゴム板を取り付けていない状態を示す図である。
【図４】本実施形態の構成を示す側面図である。
【図５】本実施形態の構成を示す平面図である。
【図６】本実施形態の構成を示す正面図である。
【図７】図４に示すＡ部の拡大図である。
【発明を実施するための形態】
【００１８】
以下、本発明に係る建設機械のバッテリ固定構造を実施するための形態を図に基づいて説明する。
【００１９】
本発明に係る建設機械のバッテリ固定構造の一実施形態は、例えば図１に示すように油圧ショベル１に設けられる。この油圧ショベル１は、走行体２と、この走行体２の上側に配置され、旋回フレーム３ａを有する旋回体３と、この旋回体３の前方に取り付けられて上下方向に回動するフロント作業機４とを備えている。また、旋回体３は、前方にキャブ７を備え、後方にカウンタウェイト６を備え、また、これらキャブ７及びカウンタウェイト６の間にエンジンルーム５を備えている。
【００２０】
図２に示すように、本実施形態は、旋回体３の内部の旋回フレーム３ａ上に設置され、旋回フレーム３ａの後部の左隅に配置された２個のバッテリ８ａ，８ｂと、これらのバッテリ８ａ，８ｂを旋回フレーム３ａに固定する固定手段９と、図４〜７に示すように２個のバッテリ８ａ，８ｂの上方に配置され、２個のバッテリ８ａ，８ｂを保護する保護カバー、例えばゴム板２２を備えている。固定手段９は、図３に示すように２個のバッテリ８ａ，８ｂを当接させた状態で両側から挟持する一対の挟持部材１０ａ，１０ｂと、これらの挟持部材１０ａ，１０ｂを連結する連結部材、例えば丸棒２１とを備えている。なお、バッテリ８ａ，８ｂの上部にはハーネス２５が配設されている。
【００２１】
図３〜７に示すように、挟持部材１０ａは、バッテリ８ａの側面に当接してバッテリ８ａを内側で保持するブラケット、例えばバッテリ８ａの上面と側面にそれぞれ当接する上面部、側面部を有し、バッテリ８ａをそれらの内側で保持するＬ字型のブラケット１３ａと、このブラケット１３ａの外側に配置され、一端側が旋回フレーム３ａに係止されるボルト１４ａとを有している。具体的には、ボルト１４ａは、下端をフック状に折り曲げて形成した折り返し部１５ａを有している。また、旋回体３の旋回フレーム３ａには、ボルト１４ａの折り返し部１５ａを引っ掛けて係止させる図示しない係止片が設けられている。本実施形態は、ボルト１４ａの折り返し部１５ａを旋回フレーム３ａの係止片に引っ掛けて係止させることにより、ボルト１４ａの下端が動かないように旋回フレーム３ａに固定されている。
【００２２】
また、挟持部材１０ａはブラケット１３ａの外側面となる側面部に固着され、ボルト１４ａの他端側が挿通される取付部材、例えばボルト１４ａを挿通する丸パイプ１６ａと、ボルト１４ａを挿通し、丸パイプ１６ａの上部に設けられてゴム板２２の高さ位置を決める位置決め部材１１ａと、ゴム板２２の上方からボルト１４ａに螺合させるナット、例えばウイングナット２０ａとを有している。丸パイプ１６ａは、ボルト１４ａをブラケット１３ａに保持させるものであり、その上端位置が位置決め部材１１ａの取付位置の基準位置を規定するものであり、本実施形態では、バッテリ８ａの上面位置と略同一か若干上方になるように設定される。
【００２３】
位置決め部材１１ａは、丸パイプ１６ａの上部に設けられた第１のワッシャー１７ａと、この第１のワッシャー１７ａの上部に設けられ、ゴム板２２を下方から支持する円筒部材、例えば丸パイプ１８ａと、この丸パイプ１８ａとウイングナット２０ａとの間に設けられた第２のワッシャー１９ａとを含んでいる。第１のワッシャー１７ａは、ボルト１４ａの外径よりも大きく、丸パイプ１６ａの外径よりも小さい内径を有する孔を有するとともに、丸パイプ１８ａの外径よりも大きい外径を有して丸パイプ１８ａを基準位置に保持するものである。丸パイプ１８ａは、その長さによってバッテリ８ａの上面とゴム板２２との間に形成される空間の高さ寸法を規定するものであり、バッテリ８ａの端子の大きさやハーネスの太さ等に応じてその長さが設定されるものである。また、丸棒２１は、バッテリ８ａ，８ｂの上方へ折り曲げられ、ゴム板２２を下方から支持する屈曲部２１ａを有している。なお、本実施形態では、丸パイプ１６ａはＬ字型のブラケット１３ａの上面部に溶接で取り付けられている。
【００２４】
また同様に、挟持部材１０ｂは、バッテリ８ｂの側面に当接してバッテリ８ｂを内側で保持するブラケット、例えばバッテリ８ｂの上面と側面にそれぞれ当接する上面部、側面部を有し、バッテリ８ｂをそれらの内側で保持するＬ字型のブラケット１３ｂと、このブラケット１３ｂの外側に配置され、一端側が旋回フレーム３ａに係止されるボルト１４ｂとを有している。具体的には、ボルト１４ｂは、下端をフック状に折り曲げて形成した折り返し部１５ｂを有している。また、旋回体３の旋回フレーム３ａには、ボルト１４ｂの折り返し部１５ｂを引っ掛けて係止させる図示しない係止片が設けられている。本実施形態は、ボルト１４ｂの折り返し部１５ｂを旋回フレーム３ａの係止片に引っ掛けて係止させることにより、ボルト１４ｂの下端が動かないように旋回フレーム３ａに固定されている。
【００２５】
また、挟持部材１０ｂはブラケット１３ｂの外側面となる側面部に固着され、ボルト１４ｂの他端側が挿通される取付部材、例えばボルト１４ｂを挿通する丸パイプ１６ｂと、ボルト１４ｂを挿通し、丸パイプ１６ｂの上部に設けられてゴム板２２の高さ位置を決める位置決め部材１１ｂと、ゴム板２２の上方からボルト１４ｂに螺合させるナット、例えばウイングナット２０ｂとを有している。丸パイプ１６ｂは、ボルト１４ｂをブラケット１３ｂに保持させるものであり、その上端位置が位置決め部材１１ｂの取付位置の基準位置を規定するものであり、本実施形態では、バッテリ８ｂの上面位置と略同一か若干上方になるように設定される。
【００２６】
位置決め部材１１ｂは、丸パイプ１６ｂの上部に設けられた第１のワッシャー１７ｂと、この第１のワッシャー１７ｂの上部に設けられ、ゴム板２２を下方から支持する円筒部材、例えば丸パイプ１８ｂと、この丸パイプ１８ｂとウイングナット２０ｂとの間に設けられた第２のワッシャー１９ｂとを含んでいる。第１のワッシャー１７ｂは、ボルト１４ｂの外径よりも大きく、丸パイプ１６ｂの外径よりも小さい内径を有する孔を有するとともに、丸パイプ１８ｂの外径よりも大きい外径を有して丸パイプ１８ｂを基準位置に保持するものである。丸パイプ１８ｂは、その長さによってバッテリ８ｂの上面とゴム板２２との間に形成される空間の高さ寸法を規定するものであり、バッテリ８ｂの端子の大きさやハーネスの太さ等に応じてその長さが設定されるものである。なお、本実施形態では、丸パイプ１６ｂはＬ字型のブラケット１３ｂの上面部に溶接で取り付けられている。また、丸棒２１の両端はＬ字型のブラケット１３ａ，１３ｂの上面部に溶接でそれぞれ取り付けられている。
【００２７】
このように構成した本実施形態によれば、一対の挟持部材１０ａ，１０ｂが２個のバッテリ８ａ，８ｂを当接させた状態でＬ字型のブラケット１３ａ，１３ｂによって両側から挟持してバッテリ８ａ，８ｂを旋回フレーム３ａ上に固定することにより、２個のバッテリ８ａ，８ｂ間の間隔を空けることなく、２個のバッテリ８ａ，８ｂを一体的に保持することができる。これにより、バッテリ８ａ，８ｂを設置する設置スペースを小さくすることができる。また、一対のＬ字型のブラケット１３ａ，１３ｂは丸棒２１によって連結されているので、バッテリ８ａ，８ｂが旋回フレーム３ａに対して水平方向の振動を受けても、一対のブラケット１３ａ，１３ｂの間隔が広がることなくバッテリ８ａ，８ｂを両側から堅固に保持することができる。これにより、バッテリ８ａ，８ｂを旋回フレーム３ａ上に確実に固定することができる。このように、本実施形態は省スペースで安定的な構造を実現することができる。
【００２８】
また、本実施形態は、Ｌ字型のブラケット１３ａ，１３ｂがそれぞれボルト１４ａ，１４ｂとウイングナット２０ａ，２０ｂを介して旋回フレーム３ａに取り付けられているので、各ウイングナット２０ａ，２０ｂをボルト１４ａ，１４ｂから取り外すことによって容易に挟持部材１０ａ，１０ｂをバッテリ８ａ，８ｂからそれぞれ取り外すことができ、バッテリ８ａ，８ｂの交換作業における能率を向上させることができる。また、位置決め部材１１ａ，１１ｂの丸パイプ１８ａ，１８ｂの大きさを変更してゴム板２２の高さ位置を調整することにより、図４に示すようにゴム板２２とバッテリ８ａ，８ｂとの間にバッテリ８ａ，８ｂの配線等を収納する収納空間Ｂを容易に形成することができる。これにより、収納空間Ｂにハーネス２５等を収納することができるので、利便性が良い。
【００２９】
さらに、本実施形態は、各ボルト１４ａ，１４ｂは、下端をフック状に折り曲げて形成した折り返し部１５ａ，１５ｂを有しているので、これらのボルト１４ａ，１４ｂの折り返し部１５ａ，１５ｂを旋回フレーム３ａに設けられた係止片にそれぞれ引っ掛けるだけで容易に挟持部材１０ａ，１０ｂを旋回フレーム３ａに取り付けることができる。また、ボルト１４ａ，１４ｂの折り返し部１５ａ，１５ｂを旋回フレーム３ａの係止片からそれぞれ外すだけで容易に挟持部材１０ａ，１０ｂを旋回フレーム３ａから取り外すことができる。
【００３０】
また、本実施形態は、各丸パイプ１８ａ，１８ｂがそれぞれボルト１４ａ，１４ｂに挿通された状態で第１のワッシャー１７ａ，１７ｂを介して丸パイプ１６ａ，１６ｂの上部に固定されており、バッテリ８ａ，８ｂよりも上側の位置において各丸パイプ１８ａ，１８ｂが下方からゴム板２２を支持している。そして、ゴム板２２を上方から第２のワッシャーを介してウイングナット２０ａ，２０ｂで締付けることにより、丸パイプ１８ａ，１８ｂ及び第１のワッシャー１７ａ，１７ｂがゴム板２２を支持する土台となり、ウイングナット２０ａ，２０ｂが第２のワッシャー１９ａ，１９ｂによって十分な締付力を発揮できるので、より安定的な構造を実現することができる。
【００３１】
また、本実施形態は、Ｌ字型のブラケット１３ａ，１３ｂを連結する連結部材が丸棒２１から成り、各ボルト１４ａ，１４ｂをブラケット１３ａ，１３ｂに取り付ける取付部材及びゴム板２２の高さ位置を決める円筒部材が丸パイプ１６ａ，１６ｂ，１８ａ，１８ｂからそれぞれ構成されているので、ハーネス２５等が丸棒２１及び丸パイプ１６ａ、１６ｂ，１８ａ，１８ｂに当接しても丸棒２１及び丸パイプ１６ａ，１６ｂ，１８ａ，１８ｂの丸みによってハーネス２５等が切損する等の損傷を軽減することができる。
【００３２】
また、本実施形態は、丸棒２１は、図４，７に示すようにバッテリ８ａ，８ｂの上方へ折り曲げられ、ゴム板２２を下方から支持する屈曲部２１ａを有しており、ゴム板２２のうちバッテリ８ａ，８ｂの上方に位置する部分を丸棒２１の屈曲部２１ａによって下方から支持することにより、ゴム板２２が撓むことを防止することができる。これにより、収納空間Ｂの大きさがゴム板２２の撓みによって小さくなることを防止することができる。さらに、本実施形態は、保護カバーが絶縁体のゴム板２２から成っているので、ゴム板２２がバッテリ８ａ，８ｂの上部に配設された各種の配線等と接触してもショートすることがない。また、仮に保護カバーが金属板で構成されている場合であっても、上述したように丸棒２１の屈曲部２１ａが保護カバーの撓みを防ぐので、保護カバーを薄板で軽量に形成することができるため、メンテナンス等で保護カバーを取り外す場合でも作業を容易に行うことができる。
【符号の説明】
【００３３】
１  油圧ショベル（建設機械）
２  走行体
３  旋回体
３ａ  旋回フレーム
４  フロント作業機
５  エンジンルーム
６  カウンタウェイト
７  キャブ
８ａ，８ｂ  バッテリ
９  固定手段
１０ａ，１０ｂ  挟持部材
１１ａ，１１ｂ  位置決め部材
１３ａ，１３ｂ  ブラケット
１４ａ，１４ｂ  ボルト
１５ａ，１５ｂ  折り返し部
１６ａ，１６ｂ  丸パイプ（取付部材）
１７ａ，１７ｂ  第１のワッシャ
１８ａ，１８ｂ  丸パイプ（円筒部材）
１９ａ，１９ｂ  第２のワッシャ
２０ａ，２０ｂ  ウイングナット（ナット）
２１  丸棒（連結部材）
２１ａ  屈曲部
２２  ゴム板（保護カバー）
２５  ハーネス
【図１】
2011226125.tif 000003
【図２】
2011226125.tif 000004
【図３】
2011226125.tif 000005
【図４】
2011226125.tif 000006
【図５】
2011226125.tif 000007
【図６】
2011226125.tif 000008
【図７】
2011226125.tif 000009